(57)【要約】【課題】自動販売機本体と扉をリンクする連結ロッドを備えた扉固定装置の操作性を損なうことがなく必要に応じて扉を確実に開放状態に固定することが可能な自動販売機の扉固定装置を提供する。【解決手段】一端が扉２に回動可能に固定され、他端が自動販売機本体側に設けられたガイド溝１３に係合する連結ロッド１１により自動販売機本体と扉２をリンクしてなり、連結ロッド１１の他端をガイド溝１３から分岐する少なくとも一つの係止溝１４に引き込んで扉２を所定角度の開放状態に固定する自動販売機の扉固定装置であって、前記ガイド溝１３および係止溝１４とは分離した扉ストッパ穴１５を設け、前記連結ロッド１１の他端を前記ガイド溝１３および扉ストッパ穴１５に着脱自在とし、連結ロッド１１の他端を前記ガイド溝１３から引き外したうえで扉ストッパ穴１５に係合させることにより扉２を開放状態に固定して扉２が不測に開放或いは閉成するのを防止する。【選択図】図３
2016130891.tif 000002
【特許請求の範囲】
【請求項１】
一端が扉に回動可能に固定され、他端が自動販売機本体側に設けられたガイド溝に係合する連結ロッドにより自動販売機本体と扉をリンクしてなり、連結ロッドの他端をガイド溝から分岐する少なくとも一つの係止溝に引き込んで扉を所定角度の開放状態に保持する自動販売機の扉固定装置において、前記ガイド溝およびこのガイド溝から分岐する係止溝とは分離した扉ストッパ穴を設け、前記連結ロッドの他端を前記ガイド溝および扉ストッパ穴に着脱自在としたことを特徴とする自動販売機の扉固定装置。
【請求項２】
請求項１に記載の自動販売機の扉固定装置において、連結ロッドの他端は連結ロッドの径よりも大きな大径部を有し、前記ガイド溝の一部に連結ロッドの他端の大径部を挿脱する挿脱部を形成する一方、扉ストッパ穴の径を連結ロッドの他端の大径部よりも大きく定めたことを特徴とする自動販売機の扉固定装置。
【請求項３】
請求項１または請求項２のいずれかに記載の自動販売機の扉固定装置において、浅い箱形をなすとともに自動販売機本体における基台に固定設置された規制部材を設け、当該規制部材に前記ガイド溝、係止溝、および扉ストッパ穴を形成してなることを特徴とする自動販売機の扉固定装置。
【請求項４】
請求項３に記載の自動販売機の扉固定装置において、規制部材は、前記ガイド溝および係止溝が形成された第１の規制部材と前記扉ストッパ穴が形成された第２の規制部材に分離されてなることを特徴とする自動販売機の扉固定装置。
【請求項５】
請求項１または請求項２のいずれかに記載の自動販売機の扉固定装置において、前記ガイド溝、係止溝、および扉ストッパ穴は自動販売機本体における基台に直接形成されてなることを特徴とする自動販売機の扉固定装置。
【発明の詳細な説明】
【技術分野】
【０００１】
この発明は、自動販売機に係り、自動販売機本体の前面に開閉可能に設けられた扉を所定角度の開放状態に保持する自動販売機の扉固定装置に関する。
【背景技術】
【０００２】
例えば、缶入り飲料，ペットボトル入り飲料などの商品を販売する清涼飲料自動販売機は、断熱筐体としてなる自動販売機本体の商品収納庫内に前記商品をコールド，ホット状態に区分して保存するとともに自動販売機本体の前面に開閉可能に設けられた扉のディスプレイ室内に複数の商品見本を左右に並べて展示し、前記商品見本に対応して設けられた商品選択ボタンの操作に基いて選択された商品を販売するように構成されている。この種の自動販売機は、商品補充時に扉を所定角度の開放状態に保持して商品のローディングが行われ、また、メンテナンス時にも扉を所定角度の開放状態に保持してメンテナンスが行われる。このように開放された扉を所定角度の開放状態に保持する扉固定装置として、一端が扉に回動可能に固定され、他端が自動販売機本体側に設けられたガイド溝に係合する連結ロッドを設け、扉を開放状態に保持する場合にはガイド溝から分岐する複数の係止溝の一つに前記連結ロッドの他端を引き込み、また、扉の保持を解除する場合には前記連結ロッドを係止溝からガイド溝に押し戻す方法のものが周知である（例えば、特許文献１参照）。
【先行技術文献】
【特許文献】
【０００３】
【特許文献１】特開平２−１０４９１号公報
【発明の概要】
【発明が解決しようとする課題】
【０００４】
上記特許文献１に開示された発明のように周知の扉固定装置によれば、自動販売機本体と扉をリンクする連結ロッドの他端が扉の開閉に応じてガイド溝を往復移動するので扉の開閉をスムーズに行うことができ、また、ガイド溝から分岐する複数の係止溝の一つに連結ロッドの他端を引き込むことにより連結ロッドにより扉を所定角度の開放状態に保持できるので操作性の点で優れている。しかしながら、係止溝に引き込まれた連結ロッドの他端は自由に動き得る状態にあることから、風に煽られる等によって扉に開放方向への外力が加えられた場合、連結ロッドの他端が係止溝から抜け出してしまうおそれがある。このように連結ロッドの他端が係止溝から抜け出すと扉が不測に開放若しくは閉成するおそれがあるので、連結ロッドの他端を係止溝に再度引き込むという作業が必要となることから作業効率が低下、および扉の不測の開放若しくは閉成により安全性が脅かされることから安全性が低下するという問題を有する。この問題を解決するため、ガイド溝と係止溝とを分離したり、ガイド溝を除去して係止溝を点在させ、扉の開放の都度、連結ロッドの他端を所定の係止溝に着脱させるように構成することもできるが、自動販売機本体と扉をリンクする連結ロッドを備えた扉固定装置の利点、つまり、扉固定装置の操作性を損なうこととなる。ところで、扉に加えられる外力、すなわち、扉が風に煽られることは周囲環境によって予測することが可能であり、そのため、自動販売機本体と扉をリンクする連結ロッドを備えた扉固定装置の利点、つまり、扉固定装置の操作性を損なうことがない一方、必要に応じて扉を確実に開放状態に固定することのできる扉固定装置が要求されている。
【０００５】
本発明は上記の点に鑑みなされたものであり、その目的は前記課題を解決し、自動販売機本体と扉をリンクする連結ロッドを備えた扉固定装置の操作性を損なうことがなく必要に応じて扉を確実に開放状態に固定することが可能な自動販売機の扉固定装置を提供することにある。
【課題を解決するための手段】
【０００６】
上記目的を達成するために請求項１にかかる発明は、一端が扉に回動可能に固定され、他端が自動販売機本体側に設けられたガイド溝に係合する連結ロッドにより自動販売機本体と扉をリンクしてなり、連結ロッドの他端をガイド溝から分岐する少なくとも一つの係止溝に引き込んで扉を所定角度の開放状態に保持する自動販売機の扉固定装置において、前記ガイド溝およびこのガイド溝から分岐する係止溝とは分離した扉ストッパ穴を設け、前記連結ロッドの他端を前記ガイド溝および扉ストッパ穴に着脱自在としたことを特徴とする。
【０００７】
また、請求項２に係る発明は、請求項１に記載の自動販売機の扉固定装置において、連結ロッドの他端は連結ロッドの径よりも大きな大径部を有し、前記ガイド溝の一部に連結ロッドの他端の大径部を挿脱する挿脱部を形成する一方、扉ストッパ穴の径を連結ロッドの他端の大径部よりも大きく定めたことを特徴とする。
【０００８】
また、請求項３に係る発明は、請求項１または請求項２のいずれかに記載の自動販売機の扉固定装置において、浅い箱形をなすとともに自動販売機本体における基台に固定設置された規制部材を設け、当該規制部材に前記ガイド溝、係止溝、および扉ストッパ穴を形成してなることを特徴とする。
【０００９】
また、請求項４に係る発明は、請求項３に記載の自動販売機の扉固定装置において、規制部材は、前記ガイド溝および係止溝が形成された第１の規制部材と前記扉ストッパ穴が形成された第２の規制部材に分離されてなることを特徴とする。
【００１０】
また、請求項５に係る発明は、請求項１または請求項２のいずれかに記載の自動販売機の扉固定装置において、前記ガイド溝、係止溝、および扉ストッパ穴は自動販売機本体における基台に直接形成されてなることを特徴とする。
【発明の効果】
【００１１】
本発明の請求項１に係る発明によれば、一端が扉に回動可能に固定され、他端が自動販売機本体側に設けられたガイド溝に係合する連結ロッドにより自動販売機本体と扉をリンクしてなり、連結ロッドの他端をガイド溝から分岐する少なくとも一つの係止溝に引き込んで扉を所定角度の開放状態に保持する自動販売機の扉固定装置において、前記ガイド溝およびこのガイド溝から分岐する係止溝とは分離した扉ストッパ穴を設け、前記連結ロッドの他端を前記ガイド溝および扉ストッパ穴に着脱自在としたことにより、扉を開放状態に固定することが必要な場合、例えば、周囲環境によって扉が風に煽られることが予測される場合、若しくはメンテナンスに時間単位の作業（商品収納庫内の商品を冷却する冷却ユニットの交換等）が予想される場合には、連結ロッドの他端をガイド溝から引き外したうえで扉ストッパ穴に差し込んで係合させることによって扉を開放状態に固定すれば、扉が不測に開放或いは閉成することを防止することが可能となるので作業効率および安全性の向上を図ることができるとともに扉を開放状態に固定する必要がない通常の場合には、連結ロッドの他端をガイド溝に係合させたままで扉の開閉を行えばよいので自動販売機本体と扉をリンクする連結ロッドを備えた扉固定装置の操作性を損なうことがないという効果を奏するものである。
【００１２】
また、本発明の請求項２に係る発明によれば、請求項１に記載の自動販売機の扉固定装置において、連結ロッドの他端は連結ロッドの径よりも大きな大径部を有し、前記ガイド溝の一部に連結ロッドの他端の大径部を挿脱する挿脱部を形成する一方、扉ストッパ穴の径を連結ロッドの他端の大径部よりも大きく定めたことにより、連結ロッドの他端をガイド溝および扉ストッパ穴に簡単に着脱できるという効果を奏するものである。
【００１３】
また、本発明の請求項３に係る発明によれば、請求項１または請求項２のいずれかに記載の自動販売機の扉固定装置において、浅い箱形をなすとともに自動販売機本体における基台に固定設置された規制部材を設け、当該規制部材に前記ガイド溝、係止溝、および扉ストッパ穴を形成してなることにより、既設の自動販売機に固定設置された規制部材と交換することにより既設の自動販売機にも適用することができるという効果を奏するものである。
【００１４】
また、本発明の請求項４に係る発明によれば、請求項３に記載の自動販売機の扉固定装置において、規制部材は、前記ガイド溝および係止溝が形成された第１の規制部材と前記扉ストッパ穴が形成された第２の規制部材に分離されてなることにより、既設の自動販売機に第２の規制部材を追加装備することにより既設の自動販売機の規制部材（第１の規制部材）を交換することなく適用が可能であるという効果を奏するものである。
【００１５】
また、本発明の請求項５に係る発明によれば、請求項１または請求項２のいずれかに記載の自動販売機の扉固定装置において、前記ガイド溝、係止溝、および扉ストッパ穴は自動販売機本体における基台に直接形成されてなることにより、規制部材を削減できるという効果を奏するものである。
【図面の簡単な説明】
【００１６】
【図１】本発明の実施の形態にかかる扉固定装置を備えた自動販売機の扉開放図である。
【図２】図１の自動販売機の扉固定装置の斜視図である。
【図３】図２の扉固定装置を示し、（ａ）は扉固定装置の分解図、（ｂ）は規制部材の平面図である。
【図４】本発明の実施の形態にかかる自動販売機の扉固定装置における連結ロッドの他端をガイド溝若しくは扉ストッパ穴に脱着する脱着手順を示す説明図であり、（ａ）は連結ロッドの他端をガイド溝に係合させた状態の斜視図、（ｂ）は連結ロッドの他端をガイド溝から引き外した状態の斜視図、（ｃ）は連結ロッドの他端を扉ストッパ穴に係合させた状態の斜視図である。
【発明を実施するための形態】
【００１７】
以下、本発明の実施の形態にかかる自動販売機の扉固定装置を図面に基づいて詳細に説明する。
【００１８】
図１は、本発明の実施の形態にかかる扉固定装置を備えた自動販売機の扉開放図である。この自動販売機は、前面が開口した自動販売機本体１と、自動販売機本体１の前面にヒンジにより開閉可能に支持された片開き式の扉２とを備えている。前記自動販売機本体１は鋼板製の外箱の内側、すなわち、上壁，左右側壁，背壁および底壁１ｄに硬質ウレタンフォームからなる矩形の平板状断熱パネルを配設して断熱筐体として構成されている。前記自動販売機本体１の断熱パネルで囲まれた商品収納庫内は断熱仕切板３により左右方向に複数の商品収納室１ａ，１ｂ，１ｃに区画されている。前記各商品収納室１ａ，１ｂ，１ｃには、この例ではサーペンタイン方式と呼ばれる蛇行した商品収納通路を有する商品収納ラック４がそれぞれ収容設置されている。前記自動販売機本体１の前面に開閉可能に支持された扉２と自動販売機本体１における商品収納庫の前面との間には内扉５が配設され、この例では内扉５が上下の上内扉５１と下内扉５２に分割されている。下内扉５２には各商品収納室１ａ，１ｂ，１ｃの商品収納ラック４から払い出された商品を送出するシューター６と対峙する位置に搬出扉５２ａを有する商品搬出口が設けられている。前記搬出扉５２ａは上端入口を軸支されて垂下するとともに自重により商品搬出口を閉塞して冷気若しくは暖気の流出を防止しており、シューター６を介して搬出される商品により押し開かれ、当該商品を扉２の商品取出口２１に送出するように形成されている。
【００１９】
前記扉２の前面の上部域は、周知のとおり、商品見本を展示する透明板で覆われたディスプレイ室として形成され、前記透明板の前面には商品選択ボタンユニットが設けられ、商品選択ボタンユニットには展示された商品見本に対応して設けられた商品選択ボタンを有している。また、扉２の前面には硬貨投入口、紙幣挿入口、硬貨返却口、返却レバー、ハンドルロック、商品取出口２１などが設けられている。前記扉２の背面側には、硬貨投入口から投入された硬貨の識別，計数，釣銭払出などの処理を行うコインメカニズムと称される硬貨処理装置２２、紙幣挿入口に挿入された紙幣の識別，計数，釣銭払出などの処理を行うビルバリデータと称される紙幣識別装置２３、前記硬貨処理装置２２の下方に配設された硬貨回収ユニット２４、この硬貨回収ユニット２４の下方に配設された回収箱２５などが設けられている。
【００２０】
前記収納商品ラック４が収容設置される商品収納室１ａ，１ｂ，１ｃの下部領域であるシューター６の下部には、熱交換器（冷凍機のエバポレータ），庫内ファン等からなる冷却ユニット（図示せず）が設置されている。また、自動販売機本体１における底壁１ｄの下方領域は常温の機械室７として形成され、この機械室７には前記冷却ユニットと冷凍サイクルを構成する冷凍機のコンデンシングユニット８（図では冷凍機のコンデンシングユニット８を構成するコンプレッサーにより圧縮された高温高圧の冷媒を外気との熱交換により再液化するコンデンサー８１が見えている）、ドレン蒸発装置９等が配置されている。前記冷凍機のコンデンシングユニット８（コンデンサー８１）、ドレン蒸発装置９は自動販売機本体１の基台１ｅの上に固定設置されている。
【００２１】
かかる構成の自動販売機における複数の商品収納室１ａ，１ｂ，１ｃに収容された商品収納ラック４への商品の補充は、自動販売機本体１の前面を開閉する扉２および内扉５（上内扉５１）を開放したうえで商品収納ラック４の商品投入口から商品を投入することにより行われる。また、複数の商品収納室１ａ，１ｂ，１ｃに収容された商品収納ラック４に収納された商品を冷却する冷却ユニットの交換等のメンテナンスの際には扉２および内扉５（下内扉５２）を開放したうえで冷却ユニットの交換が行われる。このように扉２を開放して作業を行う際、扉２を所定角度の開放状態に保持、或いは固定する扉固定装置１０が設けられている。この扉固定装置１０は、図２および図３も参照すると明らかなとおり、自動販売機本体１と扉２とをリンクする連結ロッド１１と、浅い箱形をなすとともに自動販売機本体１の基台１ｅ上に固定設置された規制部材１２の上面に形成されたガイド溝１３、このガイド溝１３から分岐された複数の係止溝１４（この実施の形態では３個の係止溝１４ａ，１４ｂ，１４ｃ）、およびガイド溝１３と係止溝１４とは分離された扉ストッパ穴１５からなる。
【００２２】
前記連結ロッド１１は、断面円形の金属製のロッドであり、両端が逆方向に略直角に屈曲するクランク状をなし、一端にフック部１１ａが形成されるとともに他端に連結ロッド１１の径よりも大径の大径部１１ｂが形成されている。この連結ロッド１１は、一端のフック部１１ａを扉２における扉枠２ａ（図２参照）の下面に設けた係合穴に係合させることにより回動可能に支持され、他端の大径部１１ｂを規制部材１２のガイド溝１３に挿入することにより自動販売機本体１と扉２とをリンクするものである。
【００２３】
前記規制部材１２は、浅い箱形の金属製になり、図３の（ａ）に示すように、前壁１２ａから前方に屈曲させたフランジ１２ａ１、左右側壁１２ｂ，１２ｂからそれぞれ逆方向に屈曲した左右フランジ１２ｂ１，１２ｂ１を備え、左右フランジ１２ｂ１，１２ｂ１にはねじ挿通穴１２ｂ１１，１２ｂ１１が形成されている。この規制部材１２は、屈曲したフランジ１２ａ１を自動販売機本体１の基台１ｅに形成したスリット１ｆ（図２参照）に挿入するとともに左右フランジ１２ｂ１，１２ｂ１に形成したねじ挿通穴１２ｂ１１，１２ｂ１１を介して自動販売機本体１の基台１ｅにねじ止めされて固定設置される。
【００２４】
前記規制部材１２の上面に形成されたガイド溝１３は、自動販売機本体１の前面と略平行に延在するとともに自動販売機の正面視右端側に扉２を閉成した際に連結ロッド１１の他端が位置する待機部１３ａを備えている。ガイド溝１３の溝幅は、連結ロッド１１のロッド径よりも大きく、かつ、連結ロッド１１の他端の大径部１１ｂよりも小さい幅に定められ、扉２の開閉に応じて連結ロッド１１の他端がガイド溝１３に沿って往復移動するように構成されている。このガイド溝１３から分岐された係止溝１４ａ，１４ｂ，１４ｃは、ガイド溝１３から前方に延在するとともに連結ロッド１１の復動方向に屈曲してなる。この係止溝１４ａ，１４ｂ，１４ｃの先端部（ガイド溝１３との連通部とは反対側の端部）の溝幅は、連結ロッド１１のロッド径よりも大きく、かつ、連結ロッド１１の他端の大径部１１ｂよりも小さい幅に定められている。一方、係止溝１４ａ，１４ｂのガイド溝１３との連結部における左端側の溝縁１４ａＬ，１４ｂＬ（図３の（ｂ）参照）の傾斜角は右端側の溝縁１４ａＲ，１４ｂＲの傾斜角よりも鋭角となるように深く抉られて溝幅が広くなるように構成されている。そして、図３の（ｂ）に示すように、係止溝１４ａ，１４ｂのガイド溝１３との連結部における左端側の溝縁１４ａＬ，１４ｂＬとガイド溝１３とで囲まれた空間の領域が一点鎖線で表した連結ロッド１１の他端の大径部１１ｂよりも大きい挿脱部ＳＡ，ＳＢとして構成され、当該挿脱部ＳＡ，ＳＢを介して連結ロッド１１の他端の大径部１１ｂを挿脱（着脱）することができる。なお、係止溝１４ａ，１４ｂ，１４ｃは、扉２の開放角度が６５度，９０度，１０５度の開放角度となる位置に対応して形成されている。
【００２５】
前記規制部材１２の上面に形成された扉ストッパ穴１５は、連結ロッド１１の他端の大径部１１ｂよりも大きな径の挿脱部１５ａ（図３の（ｂ）参照）と連結ロッド１１のロッド径よりも大きく、かつ、連結ロッド１１の他端の大径部１１ｂよりも小さい径の係止部１５ｂとを連通してなる異形溝として形成されている。この扉ストッパ穴１５は、前記ガイド溝１３と係止溝１４とは分離して独立して形成されている。そして、扉ストッパ穴１５の挿脱部１５ａを介して連結ロッド１１の他端の大径部１１ｂを挿脱（着脱）することができる。なお、扉ストッパ穴１５は、扉２の開放角度が１２５度の開放角度となる位置に対応して形成されている。
【００２６】
かかる構成の自動販売機の扉固定装置１０においては、連結ロッド１１の一端のフック１１ａを扉２に係止させる一方、規制部材１２に形成したガイド溝１３と係止溝１４ａ，１４ｂとの連結部位の挿脱部ＳＡ，ＳＢを介して連結ロッド１１の他端の大径部１１ａを挿入することにより連結ロッド１１の他端をガイド溝１３に係合させる態様で組み付けられる。前記連結ロッド１１の他端をガイド溝１３に係合させてなる場合の扉固定装置１０の動作は、扉２を閉じた状態では連結ロッド１１の他端がガイド溝１３の待機部１３ａに位置している。この状態から扉２を開放すると連結ロッド１１の他端がガイド溝１３に沿って摺動（往動）し、当該連結ロッド１１の他端を係止溝１４ａに引き込むと扉２を６５度の開放状態に保持し、また、連結ロッド１１の他端を係止溝１４ｂに引き込むと扉２を９０度の開放状態に保持し、さらに、連結ロッド１１の他端を係止溝１４ｃに引き込むと扉２を１０５度の開放状態に保持する一方、係止溝１４ａ（係止溝１４ｂ或いは１４ｃ）に係止された連結ロッド１１の他端をガイド溝１３に戻して扉２を閉じると連結ロッド１１の他端がガイド溝１３に沿って摺動（復動）して待機部１３ａに戻ることは周知のとおりである。なお、扉２の開閉により連結ロッド１１の他端がガイド溝１３に沿って往復移動する際にガイド溝１３における挿脱部ＳＡ，ＳＢに至ることがあるが、連結ロッド１１の他端が挿脱部ＳＡ，ＳＢに差し掛かった時点で連結ロッド１１の他端を持ち上げるような外力が加わらない限り、連結ロッド１１の他端の大径部１１ｂが挿脱部ＳＡ，ＳＢを介して抜け出ることはないので、連結ロッド１１の他端とガイド溝１３との係合が解除されることはないものである。
【００２７】
さて、扉固定装置１０により扉２を６５度，９０度，１０５度の開放状態に固定する周知の操作方法に加えてこの実施の形態にかかる扉固定装置１０は、必要に応じて連結ロッド１１の他端をガイド溝１３から引き出したうえで扉ストッパ穴１５に係合させて扉２を１２５度の開放状態に固定することができ、その脱着手順を図４を用いて説明する。なお、扉２を開放状態に固定することが必要な場合とは、例えば、周囲環境によって扉２が風に煽られることが予測される場合、若しくはメンテナンスに時間単位の作業（商品収納庫内の商品を冷却する冷却ユニットの交換等）が予想される場合であり、連結ロッド１１の他端が不測に係止溝１４ａ（１４ｂ若しくは１４ｃ）から抜け出して扉２が開放或いは閉成することを防止して、係止溝１４ａ（１４ｂ若しくは１４ｃ）から抜け出した連結ロッド１１の他端を再び係止溝１４ａ（１４ｂ若しくは１４ｃ）に引き込むような作業を無くして作業効率の向上を図ったり、開放或いは閉成する扉２がぶつかる等の安全性が脅かされることを無くす、つまり、安全性の向上を図りたい場合である。
【００２８】
図４は、扉固定装置１０における連結ロッド１１の他端をガイド溝１３若しくは扉ストッパ穴１５に脱着する脱着手順を示す説明図であり、（ａ）乃至（ｃ）は連結ロッド１１の他端をガイド溝１３から引き外した後、扉ストッパ穴１５に挿入する過程を示すものである。連結ロッド１１の他端をガイド溝１３から引き外すには、図４の（ａ）に示すように、連結ロッド１１の他端がガイド溝１３の挿脱部ＳＡ，ＳＢ（図示の場合は挿脱部ＳＢ）に位置するように扉２を開放方向に回動させる。連結ロッド１１の他端をガイド溝１３の挿脱部ＳＢに位置させた状態で連結ロッド１１の他端を上方に持ち上げて連結ロッド１１の他端に形成した大径部１１ａを挿脱部ＳＢから引き出す。これにより、連結ロッド１１の他端がガイド溝１３から引き出される（図４の（ｂ）参照）。このように、連結ロッド１１の他端をガイド溝１３から引き出したうえで扉２を再び開放方向に回動させて連結ロッド１１の他端を扉ストッパ穴１５の挿脱部１５ａに対峙させる。連結ロッド１１の他端を扉ストッパ穴１５の挿脱部１５ａに対峙させた状態で連結ロッド１１の他端を降下させて連結ロッド１１の他端の大径部１１ａを挿脱部１５ａに挿入した後、連結ロッド１１の他端を扉ストッパ穴１５の係止部１５ｂに引き込む（図４の（ｃ）参照）。これにより、連結ロッド１１の他端が扉ストッパ穴１５に係合して扉２が１２５度の開放状態に固定される。なお、連結ロッド１１の他端を扉ストッパ穴１５から引き外したうえでガイド溝１３に係合させるには前記手順と逆の手順で行えばよい。
【００２９】
なお、上記実施の形態においては、規制部材１２にガイド溝１３，係止溝１４，扉ストッパ穴１５を形成したものについて説明したが、他の実施形態として、規制部材１２を、ガイド溝１３および係止溝１４が形成された第１の規制部材と扉ストッパ穴１５が形成された第２の規制部材に分割し、第１の規制部材および第２の規制部材を自動販売機本体１の基台１ｅにそれぞれ固定設置することもできる。さらに他の実施形態として、ガイド溝１３，係止溝１４，扉ストッパ穴１５を自動販売機本体１の基台１ｅに直接形成することにより規制部材１２を削減することができるものである。さらにまた他の実施の形態としてガイド溝１３および係止溝１４が形成された規制部材に加えて自動販売機本体１の基台１ｅに扉ストッパ穴１５を形成することもできるものである。
【００３０】
前述したように、この実施の形態にかかる自動販売機の扉固定装置１０においては、一端が扉２に回動可能に固定され、他端が自動販売機本体１側に設けられたガイド溝１３に係合する連結ロッド１１により自動販売機本体１と扉２をリンクしてなり、連結ロッド１１の他端をガイド溝１３から分岐する少なくとも一つの係止溝１４に引き込んで扉２を所定角度の開放状態に固定する自動販売機の扉固定装置において、前記ガイド溝１３およびこのガイド溝１３から分岐する係止溝１４とは分離した扉ストッパ穴１５を設け、前記連結ロッド１１の他端を前記ガイド溝１３および扉ストッパ穴１５に着脱自在としたことにより、扉２を開放状態に固定することが必要な場合、例えば、周囲環境によって扉２が風に煽られることが予測される場合、若しくはメンテナンスに時間単位の作業（商品収納庫内の商品を冷却する冷却ユニットの交換等）が予想される場合には、連結ロッド１１の他端をガイド溝１３から引き外したうえで扉ストッパ穴１５に差し込んで係合させることによって扉２が不測に開放或いは閉成することを防止することが可能となるので作業効率および安全性の向上を図ることができるとともに扉２を開放状態に固定する必要がない通常の場合には、連結ロッド１１の他端をガイド溝１３に係合させたままで扉２の開閉を行えばよいので自動販売機本体１と扉２をリンクする連結ロッド１１を備えた扉固定装置１０の操作性を損なうことがないという効果を奏するものである。
【００３１】
なお、上記実施の形態においては、扉ストッパ穴１５をガイド溝１３の延長線上の部位に形成して扉２を大きく開放した状態で固定するものについて説明したが、扉ストッパ穴１５をガイド溝１３の延長線上よりも後方の位置に配置することにより扉２の開放角度を上記実施の形態の場合よりも小さくすることができるものであり、扉ストッパ１５の位置は要求に応じて適宜決定することができる。したがって、本発明は実施の形態に限定されるものではない。
【符号の説明】
【００３２】
１…自動販売機本体、１ｅ…基台、２…扉、２ａ…扉枠、１０…扉固定装置、１１…連結ロッド、１１ｂ…大径部、１２…規制部材、１３…ガイド溝、１４（１４ａ，１４ｂ，１４ｃ）…係止溝、１５…扉ストッパ穴、１５ａ…挿脱部、１５ｂ…係止部、ＳＡ，ＡＢ…挿脱部。
【図１】
2016130891.tif 000003
【図２】
2016130891.tif 000004
【図３】
2016130891.tif 000005
【図４】
2016130891.tif 000006